(57)【要約】【課題】作業時や移動時に大きな振動が及ぶ場合にも、全閉、全開状態で保持しておくことができ、更にスライド窓を任意の位置で半開状態にしておくこともできるスライド窓保持装置を提供する。【解決手段】本発明のスライド窓保持装置は、枠体１０１の側面に対してスライド窓１００のスライド方向に沿って設けられ、外面に設けられる凹凸部１０ａがスライド方向に繰り返し形成された係合帯１０と、スライド窓１００に設けられるメインレバー２と、メインレバー２に回動自在に設けられ、スライド窓１００に向かって傾倒するロック姿勢とスライド窓１００から離反してメインレバー２に近づくアンロック姿勢との間で回動可能なリリースレバー３と、リリースレバー３に設けられ、ロック姿勢で凹凸部１０ａと係合する一方、アンロック姿勢で凹凸部１０ａから離反するストッパー４と、を備えたことを特徴とする。【選択図】図２
2019214255.tif 000002
【特許請求の範囲】
【請求項１】
建設機械用のスライド窓を任意の位置で保持するスライド窓保持装置であって、
前記スライド窓をスライド可能に支持する枠体の側面に対して該スライド窓のスライド方向に沿って設けられ、外面に設けられる凹凸部がスライド方向に繰り返し形成された係合帯と、
前記スライド窓に設けられるメインレバーと、
前記メインレバーに回動自在に設けられ、前記スライド窓に向かって傾倒するロック姿勢と該スライド窓から離反して該メインレバーに近づくアンロック姿勢との間で回動可能なリリースレバーと、
前記リリースレバーに設けられ、前記ロック姿勢で前記凹凸部と係合する一方、前記アンロック姿勢で該凹凸部から離反するストッパーと、を備えたことを特徴とするスライド窓保持装置。
【請求項２】
更に、前記リリースレバーを前記ロック姿勢の方向に付勢する弾性体を備える請求項１に記載のスライド窓保持装置。
【請求項３】
前記ストッパーは、前記凹凸部に符合する凸凹部を備える請求項１又は２に記載のスライド窓保持装置。
【請求項４】
前記枠体は、前記スライド窓を水平方向にスライド可能に支持する下枠を有し、前記係合帯は、前記下枠の側面に対して設けられる請求項１〜３の何れか一項に記載のスライド窓保持装置。
【発明の詳細な説明】
【技術分野】
【０００１】
本発明は、建設機械用のスライド窓を任意の位置で保持することが可能なスライド窓保持装置に関する。
【背景技術】
【０００２】
例えば建設機械のキャブには、ガラス等によって形成され、枠体によってスライド可能に支持されるスライド窓が設けられている。このようなものとして特許文献１には、引き違いになるフロントガラスとリアガラスが、ランチャンネルを介して下枠に保持される車両用シングルサッシュ側窓が示されている。また特許文献２には、引き違いになる内ガラスと外ガラスが窓枠のガラスランに嵌め込まれるとともに、内ガラスと外ガラスに摺動接触するセンタサッシュが上下方向に配された車両用引き違い窓が示されている。
【先行技術文献】
【特許文献】
【０００３】
【特許文献１】特開２０１６−９７７０８号公報
【特許文献２】実公平４−１３２１８号公報
【発明の概要】
【発明が解決しようとする課題】
【０００４】
ところで、このようなスライド窓は、ランチャンネルやセンタサッシュに常時接触しているため、スライド窓がスライドする際には、ランチャンネルやセンタサッシュよる摩擦が作用する。従って、多少の振動を受ける場合でもスライド窓を半開状態にしておくことができる。
【０００５】
しかし、例えばクローラ等で悪路を走行する場合や、建設機械のアームに削岩機を取り付けて削岩作業を行う場合においては、スライド窓にも大きな振動が及ぶことになるため、半開状態を維持することは困難であった。
【０００６】
なお図示は省略するが、従来の建設機械用スライド窓において半開状態を維持するためのものとしては、先端にゴムを取り付けたボルトを備え、ボルトを回転させることによってスライド窓の内側面にゴムを押し付けるものがある。しかし、スライド窓を所定の位置に動かした後にボルトをねじ込まなければならず、操作性に劣っている。
【０００７】
また、スライド窓を支持する下枠に対して上方を開放した複数の溝を設け、この溝に係合するロック機構をスライド窓に取り付けたものも知られている。しかし、スライド窓の半開状態を維持できる位置は、溝を設けた部分に限られることになる。また溝の数を増やすにも、数が増すにつれて加工費が嵩むうえ、強度の点でも懸念がある。更に溝を形成することによって止水壁の高さが低くなるため、雨天時に雨水が室内に浸入しやすくなる点でも不具合がある。
【０００８】
本発明はこのような問題点を解決することを課題とするものであり、建設機械用のスライド窓を、作業時や移動時などのように大きな振動が及ぶ場合でも、全閉、全開状態で保持しておくことができ、更に任意の位置で半開状態にしておくこともできるスライド窓保持装置を提供することを目的とする。
【課題を解決するための手段】
【０００９】
本発明は、建設機械用のスライド窓を任意の位置で保持するスライド窓保持装置であって、前記スライド窓をスライド可能に支持する枠体の側面に対して該スライド窓のスライド方向に沿って設けられ、外面に設けられる凹凸部がスライド方向に繰り返し形成された係合帯と、前記スライド窓に設けられるメインレバーと、前記メインレバーに回動自在に設けられ、前記スライド窓に向かって傾倒するロック姿勢と該スライド窓から離反して該メインレバーに近づくアンロック姿勢との間で回動可能なリリースレバーと、前記リリースレバーに設けられ、前記ロック姿勢で前記凹凸部と係合する一方、前記アンロック姿勢で該凹凸部から離反するストッパーと、を備えたことを特徴とするスライド窓保持装置である。
【００１０】
このようなスライド窓保持装置においては、更に、前記リリースレバーを前記ロック姿勢の方向に付勢する弾性体を備えることが好ましい。
【００１１】
また前記ストッパーは、前記凹凸部に符合する凸凹部を備えることが好ましい。
【００１２】
そして前記枠体は、前記スライド窓を水平方向にスライド可能に支持する下枠を有し、前記係合帯は、前記下枠の側面に対して設けられることが好ましい。
【発明の効果】
【００１３】
本発明のスライド窓保持装置においては、スライド窓を何れの位置にスライドさせてもストッパーが係合帯の凹凸部に係合するため、作業時や移動時などのように大きな振動が及ぶ場合でも半開状態を維持することができる。またロック姿勢のリリースレバーをアンロック姿勢に変位させるには、これをメインレバーとともに掴めばよいため、スライド窓を別の位置に容易にスライドさせることができる。また、従来の構造で採用した溝を設けていないため、雨天時に雨水が浸入しやすくなることもない。
【図面の簡単な説明】
【００１４】
【図１】本発明に従うスライド窓保持装置の一実施形態を、スライド窓に取り付けた状態で示した図である。
【図２】図１に示したスライド窓保持装置に関し、（ａ）は図１におけるＡ部の拡大図であり、（ｂ）は（ａ）に示したＢ−Ｂに沿う断面図であり、（ｃ）は（ａ）に示したＣ−Ｃに沿う断面図である。
【図３】図１に示すスライド窓保持装置の分解斜視図である。
【図４】ストッパーの凸凹部と係合帯の凹凸部の変形例を示した図である。
【発明を実施するための形態】
【００１５】
以下、図面を参照しながら、本発明に従うスライド窓保持装置の一実施形態について説明する。
【００１６】
図１は、本発明の一実施形態であるスライド窓保持装置１を、スライド窓１００に取り付けた状態で示した図である。図示したスライド窓１００は、建設機械のキャブの側部に設けられる枠体１０１に対し、その内側前方に取り付けられている。ここで枠体１０１は、ともに水平方向に延在する下枠１０２と上枠１０３、及び垂直方向に対して傾斜して延在する前枠１０４、並びに垂直方向に延在する後枠１０５により構成されている。このような枠体１０１に対してスライド窓１００は、下枠１０２と上枠１０３に支持されつつ、図示した状態から後方に向けて（図１の矢印の向きに）スライドさせることが可能である。なお下枠１０２等には、図２（ｃ）に示すように、スライド窓１００を摺動可能に支持するグラスランチャンネル１０２ａが設けられている。また本実施形態において、枠体１０１の内側後方には、スライド窓１００に対して引き違いになる他のスライド窓１０６も取り付けられている。
【００１７】
ここで、本実施形態のスライド窓保持装置１は、図２、図３に示すように、メインレバー２、リリースレバー３、ストッパー４、ピン５、弾性体６、パッキン７、リテーナ８、ねじ９、及び係合帯１０で構成されるものである。
【００１８】
メインレバー２は、スライド窓１００の内面に取り付けられる部材である。本実施形態のメインレバー２は、矩形板状をなし、取り付け時においてスライド窓１００の内面に接するベース２ａを備えている。また、図３に示すようにベース２ａの上部と下部には、円形の通し孔２ｂが設けられている。なお通し孔２ｂは、ねじ９を挿通させてメインレバー２をスライド窓１００に取り付ける際に使用されるものであり、スライド窓１００にも通し孔２ｂに対応する孔が設けられている。またメインレバー２は、ベース２ａから垂直方向に突出する垂直壁２ｃを備えている。垂直壁２ｃの上縁部と下縁部には、ベース２ａから垂直方向に突出するとともに垂直壁２ｃよりも突出量が少ない一対の支持壁２ｄが一体に連結している。そして支持壁２ｄには、図３に示すように、上下方向に支持壁２ｄを貫通する軸孔２ｅが設けられている。
【００１９】
リリースレバー３は、メインレバー２に回動自在に設けられる部材である。図３に示すように本実施形態におけるリリースレバー３は、円筒状をなすとともに一対の支持壁２ｄの間に収まる本体部３ａを備えていて、軸孔２ｅとともに本体部３ａにピン５を挿通させることによって、メインレバー２に回動可能に支持される。なお詳細については後述するが、リリースレバー３は、ストッパー４と係合帯１０とが係合するロック姿勢と、係合帯１０との係合が解けるアンロック姿勢との間で回動するものである。ここで図２は、リリースレバー３がロック姿勢に変位した状態を示していて、図２（ｂ）に示す矢印の方向にリリースレバー３を回動させた状態がアンロック姿勢になる。またリリースレバー３は、本体部３ａに連結するとともに、ロック姿勢において垂直壁２ｃに対して傾く傾斜壁３ｂを備えている。
【００２０】
ストッパー４は、本実施形態においては矩形板状をなすとともに、本体部３ａに対して一体に連結するものである。なおストッパー４は、リリースレバー３とは別異の部材として形成し、リリースレバー３に取り付けられるものでもよい。ここでストッパー４の下端部には、下枠１０２に正対する面において、凸凹部４ａが形成されている。
【００２１】
ピン５は、円柱状をなすものであって、その一端部には、円板状のフランジが設けられている。上述したようにピン５は、軸孔２ｅと本体部３ａに挿通されて、メインレバー２に対してリリースレバー３を回動可能に支持するものである。なお、ピン５の他端部は、軸孔２ｅと本体部３ａに挿通された後にカシメ等によって径方向外側に膨出されるものであり、これによりピン５は、メインレバー２に対して抜け止め保持される。
【００２２】
弾性体６は、リリースレバー３をロック姿勢の方向に付勢するものである。本実施形態においては、螺旋状に巻かれるとともに一端部と他端部を長く延在させた、所謂ねじりばねを使用している。そして、ねじりばねの中心にピン５を挿通させるとともに、一端部と他端部がメインレバー２とリリースレバー３に当接するようにして取り付けられる。なお弾性体６は、このようなねじりばねに限定されるものではなく、長手方向に伸縮するスプリングをメインレバー２とリリースレバー３との間に介在させて、スプリングが伸張する際の押圧力によって、リリースレバー３をロック姿勢の方向に付勢させるようにしてもよい。
【００２３】
パッキン７は、雨水等が建設機械のキャブの内側に浸入するのを防止するものである。本実施形態のパッキン７は、メインレバー２のベース２ａと略同じ大きさに形成された矩形板状になるものであり、図３に示すように上部と下部には、貫通孔７ａが設けられている。図示したパッキン７は、スライド窓１００の外面側に配置されるものであるが、スライド窓１００の内面側に設けてもよい。またパッキン７を２つ準備して、スライド窓１００の外面側と内面側にそれぞれ設けてもよい。
【００２４】
リテーナ８は、スライド窓１００とパッキン７とを間に挟んで、ねじ９によってメインレバー２を固定保持するものである。本実施形態のリテーナ８は、ベース２ａと略同じ大きさに形成された矩形板状になるものであり、上部と下部には、図３に示すように円筒状をなすとともにねじ９を係合させるボス８ａが設けられている。
【００２５】
係合帯１０は、図１に示すように長尺の帯状をなすものであって、本実施形態においては下枠１０２に対して前後方向に長く延在するように設けられている。また係合帯１０の外面には、図２（ｂ）に示すようにストッパー４の凸凹部４ａに係合する凹凸部１０ａが設けられている。なお凹凸部１０ａは、係合帯１０の全長に亘って前後方向に繰り返し形成されている。係合帯１０の材質は、例えば合成樹脂（ポリプロピレン樹脂など）やラバー、金属など、種々のものが採用可能である。また係合帯１０の裏面には、両面テープ１０ｂが設けられていて、これにより下枠１０２に対して係合帯１０を固着させている。下枠１０２に係合帯１０を取り付けるに当たっては、例えば接着剤を使用するなど、他の手段を用いてもよい。なお、下枠１０２に対して凹凸部１０ａに対応する形状を形成することによって、下枠１０２に係合帯１０の機能を持たせてもよいが、本実施形態のように両面テープ１０ｂ等を使用して係合帯１０を固着させる場合は、既存の下枠１０２に取り付けることができるという利点がある。
【００２６】
このような部材によって構成されるスライド窓保持装置１は、弾性体６の付勢力によってリリースレバー３が回動し、図２（ｂ）に示すように、傾斜壁３ｂがスライド窓に向かって傾倒するロック姿勢に変位している。この状態においては、ストッパー４の凸凹部４ａが係合帯１０の凹凸部１０ａに係合するため、スライド窓１００が前後方向にスライドすることはない。
【００２７】
一方、スライド窓１００を前後方向にスライドさせるには、傾斜壁３ｂがスライド窓１００から離反して垂直壁２ｃに近づくように（図２（ｂ）に示す矢印の向きに傾斜壁３ｂが回動するように）、傾斜壁３ｂと垂直壁２ｃとを指で掴めばよい。これによりリリースレバー３を、ストッパー４の凸凹部４ａと係合帯１０の凹凸部１０ａとの係合が解けるアンロック姿勢に変位させることができるため、傾斜壁３ｂと垂直壁２ｃとを指で掴んだまま前後方向に動かせば、スライド窓１００を任意の位置に動かすことができる。
【００２８】
その後は、傾斜壁３ｂと垂直壁２ｃとを掴んでいた指を離せば、弾性体６の付勢力によってリリースレバー３がロック姿勢に変位する。従って、ストッパー４の凸凹部４ａと係合帯１０の凹凸部１０ａが再び係合するため、スライド窓１００が半開状態であっても、その位置を維持することができる。
【００２９】
なお、図２に示した凸凹部４ａは、ストッパー４の幅方向（前後方向）の全域に亘って設けられているが、図４（ａ）に示すように、ストッパー４の一部に設けたものでもよい。また凸凹部４ａは、凹凸部１０ａの凹部に入り込む少なくとも１つの凸部で構成してもよいし、凹凸部１０ａの凸部を受け入れる少なくとも一つの凹部で構成してもよい。また図２、図４（ａ）に示す凸凹部４ａと凹凸部１０ａは、何れも三角形状になるものであるが、その形状は任意に変更可能であって、例えば図４（ｂ）に示すように、凸凹部４ａは半円状で凹凸部１０ａは矩形状としてもよく、また図４（ｃ）に示すように、凸凹部４ａと凹凸部１０ａを台形状にしてもよい。このように、凸凹部４ａにおける凸部や凹部の数、或いは凸凹部４ａと凹凸部１０ａの形状を変更すれば、スライド窓１００を保持する力を調整することができる。
【００３０】
以上、本発明に従うスライド窓保持装置の一実施形態について説明したが、本実施形態は一例に過ぎず、本発明には特許請求の範囲に従う範疇で種々の変更を加えたものも含まれる。例えば弾性体６を省略して、使用者がリリースレバー３をロック姿勢に変位させるように構成してもよい。またメインレバー２は、ねじ９を使ってスライド窓１００に取り付けていたが、両面テープ等を利用してスライド窓１００に固着してもよい。また本実施形態のスライド窓保持装置１は、前後方向にスライドするスライド窓１００に設けたが、上下方向にスライドするものに使用することも可能である。そしてスライド窓保持装置１の取り付け先はスライド窓１００に限られず、他のスライド窓１０６に設けてもよい。なお本実施形態においては、使用者の手が届きやすいところにスライド窓保持装置１を取り付けるべく、係合帯１０を下枠１０２に設けたが、上枠１０３に設けてもよい。
【符号の説明】
【００３１】
１：スライド窓保持装置
２：メインレバー
３：リリースレバー
４：ストッパー
４ａ：凸凹部
６：弾性体
１０：係合帯
１０ａ：凹凸部
１００：スライド窓
１０１：枠体
１０２：下枠
【図１】
2019214255.tif 000003
【図２】
2019214255.tif 000004
【図３】
2019214255.tif 000005
【図４】
2019214255.tif 000006